(57)【特許請求の範囲】
【請求項１】
第一支軸を介して回動可能に軸支される第一可動物と、
第二支軸を介して回動可能に軸支される第二可動物と、
前記第一支軸及び前記第二支軸が所定間隔を隔てて設けられ、前記第一可動物及び前記第二可動物を連結する連結部材と、
前記第一可動物の内部及び前記第二可動物の内部を通るように配置される配線とを具備する遊技機の可動役物装置であって、
前記第一可動物は、
前記第一支軸の軸線を中心とする円周上に沿うように形成され、当該第一可動物の内部において前記配線を案内する第一溝と、
前記第一溝と当該第一可動物の外部とを連通し、前記第一溝によって案内される配線を当該第一可動物の外部に導く出口部とを具備し、
前記第二可動物は、
前記出口部を介して前記第一可動物の外部に導かれた配線を前記第二可動物の内部に導く入口部と、
前記第二支軸の軸線を中心とする円周上に沿うように、かつ前記第一溝の幅よりも幅広くなるように形成され、前記入口部を介して前記第二可動物の内部に導かれた配線を当該第二可動物の内部において案内する第二溝とを具備することを特徴とする遊技機の可動役物装置。
【発明の詳細な説明】
【技術分野】
【０００１】
本発明は、遊技機の可動役物装置の技術に関し、より詳細には、２つの可動物の内部を通るように配置される配線を具備する遊技機の可動役物装置の技術に関する。
【背景技術】
【０００２】
従来、遊技の演出に用いる可動物を具備する遊技機の可動役物装置の技術が公知となっている。例えば、特許文献１に記載の如くである。
【０００３】
特許文献１に記載の技術では、四節平行リンク機構を構成する一対のアーム（可動物）を介して、演出用の役物がケース体に支持される。一対のアームが回動することによって、当該役物がケース体に対して回動可能に構成される。
【０００４】
一般的に、演出用の役物にはＬＥＤ等の電飾部品が設けられるため、当該役物に電気を伝えるための配線を設ける必要がある。特許文献１に記載の可動役物装置の場合、役物に電気を伝えるためには、ケース体側から役物まで配線を設ける必要がある。
【０００５】
しかし、ケース体側から役物まで配線を設けると、当該ケース体と役物との間に配置された一対のアーム（可動物）が回動するため、当該可動物や他の部材と配線とが干渉し、当該配線の可動部への巻き込みや損傷等が生じるおそれがある。
【０００６】
そこで、特許文献２に記載の技術では、配線をアーム（可動物）の内部に通すことで、当該配線の可動部への巻き込みや損傷等の発生を抑制している。
【先行技術文献】
【特許文献】
【０００７】
【特許文献１】特開２００９−１１６８１号公報
【特許文献２】特開２０１１−１５７２４号公報
【発明の概要】
【発明が解決しようとする課題】
【０００８】
しかしながら、特許文献２に記載の技術において、内部に配線を通す２つのアーム（可動物）を連続して配置する場合、２つのアームがともに回動する際に、当該アームの動作に従って配線が引っ張られる等して当該配線に負荷がかかる場合がある。したがって、当該負荷により、配線の損傷が発生するおそれがあるという問題点があった。
【０００９】
本発明は、上記のような問題点に鑑みてなされたものであり、その解決しようとする課題は、配線の損傷を防止することができる遊技機の可動役物装置を提供するものである。
【課題を解決するための手段】
【００１０】
本発明の解決しようとする課題は以上の如くであり、次にこの課題を解決するための手段を説明する。
【００１１】
即ち、請求項１においては、第一支軸を介して回動可能に軸支される第一可動物と、第二支軸を介して回動可能に軸支される第二可動物と、前記第一支軸及び前記第二支軸が所定間隔を隔てて設けられ、前記第一可動物及び前記第二可動物を連結する連結部材と、前記第一可動物の内部及び前記第二可動物の内部を通るように配置される配線とを具備する遊技機の可動役物装置であって、前記第一可動物は、前記第一支軸の軸線を中心とする円周上に沿うように形成され、当該第一可動物の内部において前記配線を案内する第一溝と、前記第一溝と当該第一可動物の外部とを連通し、前記第一溝によって案内される配線を当該第一可動物の外部に導く出口部とを具備し、前記第二可動物は、前記出口部を介して前記第一可動物の外部に導かれた配線を前記第二可動物の内部に導く入口部と、前記第二支軸の軸線を中心とする円周上に沿うように、かつ前記第一溝の幅よりも幅広くなるように形成され、前記入口部を介して前記第二可動物の内部に導かれた配線を当該第二可動物の内部において案内する第二溝とを具備するものである。
【発明の効果】
【００１３】
本発明の効果として、以下に示すような効果を奏する。
【００１４】
請求項１においては、配線が第二溝内を移動し易くすることができる。
第一可動物及び第二可動物が回動する際、配線に負荷（引張荷重または圧縮荷重）が加わるが、当該配線が第二溝内を移動し易いため、当該配線を逃がすことができ、当該配線に加わる負荷を軽減することができる。
これによって、配線の損傷を防止することができる。
【図面の簡単な説明】
【００１６】
【図１】本発明の一実施形態に係る可動役物装置を備える遊技機の全体的な構成を示した正面図。
【図２】同じく、遊技機の窓枠が開放された状態の構成を示した正面斜視図。
【図３】同じく、遊技盤の構成を示した正面図。
【図４】第一実施形態に係る可動役物装置の構成を示した正面分解斜視図。
【図５】（ａ）同じく、可動体が作動位置における第一アーム及び第二アームの構成を示した正面図。（ｂ）同じく、可動体が作動位置における第一アーム及び第二アームの構成を示した背面図。
【図６】同じく、作動位置における可動体の構成を示した正面分解図。
【図７】（ａ）第一実施形態に係る可動役物装置の、可動体が待機位置における構成を示した正面図。（ｂ）第一実施形態に係る可動役物装置の、可動体が作動位置における構成を示した正面図。
【図８】（ａ）同じく、可動体が待機位置における可動役物装置、特に駆動機構の構成を示した正面模式図。（ｂ）同じく、可動体が作動位置における可動役物装置、特に駆動機構の構成を示した正面模式図。
【図９】（ａ）同じく、可動体が待機位置における可動役物装置の構成を示した背面模式図。（ｂ）同じく、可動体が作動位置における可動役物装置の構成を示した背面模式図。
【図１０】（ａ）同じく、可動体が待機位置における第一駆動機構の構成を示した正面模式図。（ｂ）同じく、可動体が待機位置と作動位置との間を移動中における第一駆動機構の構成を示した正面模式図。（ｃ）同じく、可動体が作動位置における第一駆動機構の構成を示した正面模式図。
【図１１】（ａ）同じく、可動体が待機位置における第一駆動機構の構成を示した背面模式図。（ｂ）同じく、可動体が待機位置と作動位置との間を移動中における第一駆動機構の構成を示した背面模式図。（ｃ）同じく、可動体が作動位置における第一駆動機構の構成を示した背面模式図。
【図１２】（ａ）同じく、可動体が作動位置における第二駆動機構の構成を示した背面模式図。（ｂ）同じく、可動体が待機位置と作動位置との間を移動中における第二駆動機構の構成を示した背面模式図。（ｃ）同じく、可動体が作動位置における第一駆動機構の構成を示した背面模式図。
【図１３】可動体が作動位置にある場合における第一アーム、第二アーム、可動体左足部及び可動体右足部の構成を示した背面斜視図。
【図１４】同じく、背面図。
【図１５】可動体が作動位置にある場合における配線の配置を示した背面図。
【図１６】可動体が作動位置にある場合における回動軸支板及び基板取付板の配置を示した背面図。
【図１７】可動体が待機位置にある場合における配線の配置を示した背面図。
【図１８】（ａ）一実施形態に係る第二アーム下側スリット及び右配線を示した背面図。（ｂ）第二アーム下側スリットの変形例を示した背面図。
【発明を実施するための形態】
【００１７】
まず、本発明に係る構造の一実施（第一実施）形態である可動体支持構造を採用した可動役物装置１００を備える遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１８】
遊技機１は、図１及び図２が示すように、主として、外枠２と、中枠３と、窓枠４と、により構成される枠体に、各種の遊技部品が取り付けられて形成される。
【００１９】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００２０】
中枠３は、前後面が開口された略四角筒状に形成される枠体である。中枠３は、外枠２の前側の開口部にヒンジ等の軸支部材を介して回動可能に支持される。中枠３には、遊技盤５と、窓枠４と、下皿ユニット６と、が設けられる。
【００２１】
遊技盤５は、略平板状に形成される部材である。遊技盤５は、中枠３の下側を除く略全面に渡って配置される。遊技盤５は、中枠３に着脱自在に取り付けられる。遊技盤５の前側面には、遊技球が転動する領域である遊技領域１９が形成される（図３参照）。
【００２２】
窓枠４は、略平板状に形成される枠体である。窓枠４は、遊技盤５の前方に配置される。窓枠４は、中枠３の前側の開口部にヒンジ等の軸支部材を介して回動可能に支持される。窓枠４の略中央には、略円形状の窓枠開口部７が開口される。窓枠開口部７は、透明板２７により被覆される。これによって、遊技者は、前方から透明板２７を介して窓枠４の後方に配置された遊技盤５（より詳細には、遊技領域１９）を視認することができる。窓枠開口部７の下方には、発射前の遊技球が貯溜される上皿８が配設される。窓枠開口部７の左右上方には、スピーカ９がそれぞれ配設される。
【００２３】
下皿ユニット６は、中枠３の下側であって窓枠４の下方に取り付けられる。下皿ユニット６の略中央には、上皿８から溢れた遊技球が貯溜される下皿２５が配設される。下皿ユニット６の右側部であって下皿２５の右方には、上皿８に貯溜された遊技球を遊技盤５の遊技領域１９へ向けて発射可能に構成される発射ハンドル２６が配設される。
【００２４】
次に、遊技盤５の構成について、図３を用いてさらに詳細に説明する。
【００２５】
遊技盤５には、ガイドレール１０と、図柄表示装置１１と、図柄表示開口部１２と、一般入賞口１３と、大入賞装置１４と、可変入賞装置１５と、アウト口１６と、可動役物装置１００と、が設けられる。
【００２６】
ガイドレール１０は、略円弧状に形成された帯状の部材である。ガイドレール１０は、遊技盤５の前側面に、当該前側面に対して立ち上がり状に取り付けられる。ガイドレール１０は、遊技盤５の前側面に正面視で略円形状を形成するように配置される。そして、遊技盤５において、ガイドレール１０により略円形状に形成された内側の領域が、遊技球が転動する領域である遊技領域１９として構成される。
【００２７】
図柄表示装置１１は、液晶画面２０を設けて、当該液晶画面２０に図柄や数字等を変動表示可能に構成される装置である。図柄表示装置１１は、液晶画面２０を前方へ向けた状態で、遊技盤５の後側面に取り付けられる。
【００２８】
図柄表示開口部１２は、遊技者が前方から図柄表示装置１１の液晶画面２０を視認するための開口部である。図柄表示開口部１２は、正面視で遊技領域１９の概ね中央で、遊技盤５を前後方向に貫通して形成される。図柄表示開口部１２には、図柄表示装置１１の液晶画面２０が配置される。これによって、遊技者は、前方から図柄表示開口部１２を通じて遊技盤５の後側面に取り付けられた図柄表示装置１１の液晶画面２０を視認することができる。
【００２９】
一般入賞口１３は、上面が開口されたポケット状に形成され、遊技球が入球（入賞）可能に形成される部材である。一般入賞口１３は、遊技領域１９の下部であって適宜な位置に複数個が配置される。一般入賞口１３は、遊技球が入球すると図示せぬ賞球払出装置によって所定数の遊技球（賞球）が払い出されるように構成される。
【００３０】
大入賞装置１４は、所定の大当たり抽選により大当たりが選択されると、大入賞口２１を開放して遊技球が入球（入賞）可能に構成される装置である。大入賞装置１４は、遊技領域１９の中央下部に配置される。大入賞装置１４は、開放した大入賞口２１に遊技球が入球すると図示せぬ賞球払出装置によって所定数の遊技球（賞球）が払い出されるように構成される。
【００３１】
可変入賞装置１５は、所定の作動条件に応じて左右一対の可動片２２が開閉作動し、始動入賞口２３に遊技球が入球（入賞）可能な開放状態と入球（入賞）不能な閉塞状態とに切り替え可能に構成される装置である。可変入賞装置１５は、遊技領域１９において図柄表示開口部１２の下方であって大入賞装置１４の上方に配置される。可変入賞装置１５は、前記開放状態において始動入賞口２３に遊技球が入球（入賞）すると図示せぬ賞球払出装置によって所定数の遊技球（賞球）が払い出されるように構成される。
【００３２】
アウト口１６は、遊技領域１９を転動する遊技球が、一般入賞口１３や大入賞口２１や始動入賞口２３等の各入賞口に入球（入賞）しなかった場合に、最終的に流入する開口部である。アウト口１６は、遊技領域１９の最下部に、遊技盤５を前後方向に貫通して形成される。なお、アウト口１６に流入した遊技球は、遊技機１が設置されたパチンコホール等の遊技場側に回収される。
【００３３】
次に、可動役物装置１００の構成について詳細に説明する。
【００３４】
図３に示すように、可動役物装置１００は、遊技領域１９の上部であって液晶画面２０の上方に配置される。可動役物装置１００は、可動体６０をケース体３０に対して往復回動可能に支持することによって遊技者に視覚的な印象（インパクト）を与え、その遊技者の興趣を高める装置である。より詳細には、可動役物装置１００は、可動体６０を、可動役物装置１００の本体に近接させた位置であって液晶画面２０の上方となる（図中の実線で示す）位置（以下では、「待機位置」と称する。）と、可動役物装置１００の本体から下方に離間させた位置であって液晶画面２０の前方となる（図中の二点鎖線で示す）位置（以下では、「作動位置」と称する。）と、の間を、遊技機１の遊技演出に応じて往復回動可能に支持している。図４に示すように、可動役物装置１００は、主として、ケース体３０と、第一アーム４０と、第二アーム５０と、可動体６０と、第一駆動機構８０と、第二駆動機構９０と、により構成される。
【００３５】
次に、可動役物装置１００のケース体３０の構成について説明する。
【００３６】
図４に示すケース体３０は、可動役物装置１００の本体を成す主たる構造物である。ケース体３０には、可動役物装置１００を構成する各部材が取り付けられる。ケース体３０は、正面視で左右方向に延設された細長い概ね矩形の筐体として形成される。ケース体３０は、ケース体３０の前部を成すケース体前部３１と、ケース体３０の後部を成すケース体後部３２と、により構成される。
【００３７】
次に、可動役物装置１００の第一アーム４０の構成について説明する。
なお、以下では、可動体６０を作動位置に支持した状態の第一アーム４０を想定して、その配置構成を説明する。
【００３８】
図４、図５、及び図７から図９までに示す第一アーム４０は、第二アーム５０とともに可動体６０を支持するための湾曲した細長い概ね棒状の部材である。第一アーム４０の上端部には、前後方向に貫通した第一アーム上側貫通孔４１が穿孔される。また、第一アーム４０の下端部には、前後方向に貫通した第一アーム下側貫通孔４２が穿孔される。そして、第一アーム４０の上端部は、第一アーム上側貫通孔４１に挿通された第一回動軸４１ａを介して、ケース体３０の左右略中央であって当該ケース体３０の後側面に回動自在に軸支される。なお、第一回動軸４１ａは、ケース体３０の後側面と、第一アーム４０の上端部の後方に配置された基板取付板３３と、の間で軸心方向を前後方向として支持される。また、第一アーム４０の下端部は、第一アーム下側貫通孔４２に挿通された第二回動軸４２ａを介して、可動体６０（より詳細には、可動体上部６１の上部突出部６４）の後側面に回動自在に軸支される。なお、第二回動軸４２ａは、可動体上部６１の上部突出部６４の後側面と、第一アーム４０の下端部の後方に配置された回動軸支板７４と、の間で軸心方向を前後方向として支持される。
【００３９】
また、第一アーム４０の下端部には、左下方へ向けて延出された第一アーム延出部４３が形成される。第一アーム延出部４３は、第一アーム４０を可動体６０（より詳細には、可動体左足部６２）に連動連結させるためのものである。第一アーム延出部４３の先端部（下端部）には、円筒状に形成された第一アームボス部４６が、軸心方向を前後方向として後方へ向けて突出される。
【００４０】
次に、可動役物装置１００の第二アーム５０の構成について説明する。
なお、以下では、可動体６０を作動位置に支持した状態の第二アーム５０を想定して、その配置構成を説明する。
【００４１】
図４、図５、及び図７から図９までに示す第二アーム５０は、第一アーム４０とともに可動体６０を支持するための湾曲した細長い概ね棒状の部材である。第二アーム５０は、第一アーム４０から所定の間隔をあけて当該第一アーム４０の右方に配置される。第二アーム５０の上端部には、前後方向に貫通した第二アーム上側貫通孔５１が穿孔される。また、第二アーム５０の下端部には、前後方向に貫通した第二アーム下側貫通孔５２が穿孔される。そして、第二アーム５０の上端部は、第二アーム上側貫通孔５１に挿通された第三回動軸５１ａを介して、ケース体３０の左右略中央から若干右方であって当該ケース体３０の後側面に回動自在に軸支される。なお、第三回動軸５１ａは、第一アーム４０の第一回動軸４１ａと略同一の高さに配置されるとともに、ケース体３０の後側面を貫通して、ケース体３０の前側面と基板取付板３３との間で、軸心方向を前後方向として支持される。また、第二アーム５０の下端部は、第二アーム下側貫通孔５２に挿通された第四回動軸５２ａを介して、可動体６０（より詳細には、可動体上部６１の上部突出部６４）の後側面に回動自在に軸支される。なお、第四回動軸５２ａは、第一アーム４０の第二回動軸４２ａと略同一の高さに配置されるとともに、上部突出部６４の後側面と回動軸支板７４との間で軸心方向を前後方向として持される。
【００４２】
このように、リンク部材として第一アーム４０及び第二アーム５０を備えて、第二アーム５０を原動節、ケース体３０を固定節、可動体上部６１を中間節、第一アーム４０を従動節とする四節平行リンク機構を構成する。そして、第一回動軸４１ａ、第二回動軸４２ａ、第三回動軸５１ａ及び第四回動軸５２ａは、それぞれ上記のリンク部材を連結する回転対偶であり、正面視で平行四辺形の頂点に相当する位置に配置される。
なお、第一アーム４０及び第二アーム５０の構成についての詳細な説明は後述する。
【００４３】
また、図４に示すように、基板取付板３３の後側面には、電子部品や配線等が配置された装飾基板３３ａが固定される。
【００４４】
次に、可動役物装置１００の可動体６０の構成について説明する。
なお、以下では、特に説明がなければ、作動位置に支持された状態の可動体６０を想定して、その配置構成を説明する。
【００４５】
図４、及び図６から図９までに示す可動体６０は、遊技機１の遊技演出に応じて待機位置と作動位置との間を往復回動し、遊技者に視覚的な印象を与え、その遊技者の興趣を高める部材である。可動体６０は、待機位置と作動位置との間を往復回動するとともに変形するように構成され、作動位置においては正面視で漢字の「大」を模した形状に変形される。可動体６０は、ケース体３０の下方に配置される。可動体６０は、主として、可動体上部６１と、可動体右足部６３と、可動体左足部６２と、により構成される。
【００４６】
可動体上部６１は、正面視で左右方向に細長い概ね矩形の箱状の部材である。可動体上部６１は、正面視で漢字の「大」のうち一画目の軌跡を模した形状として形成される。可動体上部６１の左右略中央には、上方へ向けて突出した上部突出部６４が形成される。可動体上部６１の前側面には、透光性部材６５が適宜配設される。可動体上部６１内には、ＬＥＤ（不図示）が配設され、透光性部材６５を介して前方を照射することができる。
【００４７】
可動体左足部６２は、下方へ延出されるに従い左方へ湾曲して、さらには正面視で短手方向幅が広くなるように形成される細長い箱状の部材である。可動体左足部６２は、正面視で漢字の「大」のうち二画目の軌跡を模した形状として形成される。可動体左足部６２の前側面には、透光性部材６５が適宜配設される。可動体左足部６２内には、ＬＥＤ（不図示）が配設され、透光性部材６５を介して前方を照射することができる。
【００４８】
可動体左足部６２の上端部には、上方へ向けて突出した左足軸支部６６が形成される。左足軸支部６６は、可動体左足部６２を可動体上部６１に軸支するためのものである。左足軸支部６６の上端部には、前後方向に貫通した左足貫通孔６７が穿孔される。可動体左足部６２の上端部は、左足貫通孔６７に挿通された左足回動軸６７ａを介して、可動体上部６１の後側面に回動自在に軸支される。なお、左足回動軸６７ａは、第二回動軸４２ａの下方で、可動体上部６１の後側面と回動軸支板７４との間で軸心方向を前後方向として支持される。
【００４９】
なお、可動体左足部６２は、可動体６０が作動位置から待機位置へ回動する場合には、正面視右回り（時計回り）に回動して、当該可動体左足部６２の先端部（作動位置における下端部）を概ね左方へ向けた状態で配置される。
【００５０】
また、左足軸支部６６の左端部には、概ね左方へ向けて突出した左足突出部６８が形成される。左足突出部６８は、可動体左足部６２を第一アーム４０に連動連結させるためのものである。左足突出部６８の先端部には、円筒状に形成された左足ボス部７２が、軸心方向を前後方向として後方へ向けて突出される。
【００５１】
また、左足軸支部６６の上端部には、平歯車の一部を切り取った形状である左足歯車部６９が形成される。左足歯車部６９は、可動体左足部６２を可動体右足部６３に連動連結させるためのものである。左足歯車部６９は、右上方へ向けた円弧状に歯車が形成され、その軸心が左足貫通孔６７の軸心と重複するように形成される。
【００５２】
可動体右足部６３は、下方へ延出されるに従い右方へ湾曲して、さらには正面視で短手方向幅が広くなるように形成される細長い箱状の部材である。可動体右足部６３は、正面視で漢字の「大」のうち三画目の軌跡を模した形状として形成される。可動体右足部６３の前側面には、透光性部材６５が適宜配設される。可動体右足部６３内には、ＬＥＤ（不図示）が配設され、透光性部材６５を介して前方を照射することができる。
【００５３】
可動体右足部６３の上端部には、上方へ向けて突出した右足軸支部７３が形成される。右足軸支部７３は、可動体右足部６３を可動体上部６１に軸支するためのものである。右足軸支部７３の上端部には、前後方向に貫通した右足貫通孔７０が穿孔される。可動体右足部６３の上端部は、右足軸支部７３の右足貫通孔７０に挿通された右足回動軸７０ａを介して、可動体上部６１の後側面に回動自在に軸支される。なお、右足回動軸７０ａは、第四回動軸５２ａの下方で、可動体上部６１の後側面と回動軸支板７４との間で軸心方向を前後方向として支持される。
【００５４】
なお、可動体右足部６３は、可動体６０が作動位置から待機位置へ回動する場合には、正面視左回り（反時計回り）に回動して、当該可動体右足部６３の先端部（作動位置における下端部）を概ね右方へ向けた状態で配置される。
【００５５】
また、右足軸支部７３の上端部には、平歯車の一部を切り取った形状である右足歯車部７１が形成される。右足歯車部７１は、可動体右足部６３を可動体左足部６２に連動連結させるためのものである。右足歯車部７１は、左上方へ向けた円弧状に歯車が形成され、その軸心が右足貫通孔７０の軸心と重複するように形成される。
なお、右足歯車部７１の歯車は、左足歯車部６９の歯車と同一形状であって、同一の歯数を有している。そして、右足歯車部７１の歯車は、左足歯車部６９の歯車に歯合されている。
【００５６】
上述の如く構成された可動体上部６１、可動体左足部６２、及び可動体右足部６３によって、可動体６０は、作動位置において、正面視で漢字の「大」を模した形状となる。より詳細には、可動体左足部６２及び可動体右足部６３が、左右に隣接して可動体上部６１の左右略中央に配置される。そして、可動体左足部６２の左足軸支部６６及び可動体右足部６３の右足軸支部７３は、正面視で可動体上部６１の背後（後方）に配置される。従って、前方から可動体６０を視認した場合、可動体左足部６２の左足軸支部６６及び可動体右足部６３の右足軸支部７３は視認されず、正面視で可動体上部６１、可動体左足部６２、及び可動体右足部６３の露出している部分の組み合わせによって可動体６０の外縁形状（外観）が、漢字の「大」を模した形状となる。
【００５７】
一方、可動体６０は、待機位置において、正面視で左右に細長い概ね矩形の形状となる（正面視で漢字の「大」を模した形状とならない。）。より詳細には、可動体左足部６２の先端部及び可動体右足部６３の先端部が、それぞれ左右方へ向けて配置される。そして、可動体左足部６２の先端部及び可動体右足部６３の先端部が、それぞれ可動体上部６１の左右端部から正面視で外方へ向けて突出するように配置される。従って、前方から可動体６０を視認した場合、正面視で可動体上部６１、可動体左足部６２、及び可動体右足部６３の露出している部分の組み合わせによって可動体６０の外縁形状（外観）が、左右に細長い概ね矩形の形状となる。
【００５８】
次に、可動役物装置１００の第一駆動機構８０の構成について説明する。
なお、以下では、特に説明がなければ、可動体６０が作動位置に支持された状態の第一駆動機構８０を想定して、その配置構成を説明する。
【００５９】
図４、図８及び図９に示す第一駆動機構８０は、可動体６０を回動させるため駆動力を第一アーム４０及び第二アーム５０に伝達するための機構である。第一駆動機構８０は、正面視でケース体３０の概ね右部に配置される。第一駆動機構８０は、主として、モータ８１と、第一駆動歯車８２と、第二駆動歯車８３と、第一駆動アーム８４と、駆動伝達板８５と、により構成される。
【００６０】
モータ８１は、可動体６０を回動させるための駆動源である。モータ８１は、ケース体３０の右端部であって当該ケース体３０の後方に配置される。モータ８１は、その本体がケース体３０の後側面に後方から固定され、出力軸８１ａが軸心方向を前後方向としてケース体３０内（前方）に突出される。
【００６１】
第一駆動歯車８２は、モータ８１からの駆動力が伝達される平歯車である。第一駆動歯車８２は、ケース体３０内にてモータ８１の前方に配置される。第一駆動歯車８２の中心部には、モータ８１の出力軸８１ａの前端が相対回転不能に固定される。
【００６２】
第二駆動歯車８３は、第一駆動歯車８２に伝達された駆動力が、次に伝達される平歯車である。第二駆動歯車８３は、ケース体３０内にて第一駆動歯車８２の左上方に配置される。第二駆動歯車８３は、その中心部に挿通された第二駆動歯車回転軸８３ａを介して回転自在に軸支される。なお、第二駆動歯車回転軸８３ａは、ケース体３０内にて軸心方向を前後方向として支持される。第二駆動歯車８３の外周の略半分には、歯車が形成される。第二駆動歯車８３の歯車は、第一駆動歯車８２の歯車に歯合されている。
【００６３】
また、第二駆動歯車８３の前面側には、第二駆動歯車８３の軸心から所定距離だけ離れた位置に、円筒状に形成された第二駆動歯車ボス部８６が、軸心方向を前後方向として前方へ向けて突出される。なお、第二駆動歯車ボス部８６は、可動体６０が待機位置においては、第二駆動歯車８３の軸心から左方に配置され、可動体６０が作動位置においては、前記左方の配置から正面視右回り（時計回り）に回動され、第二駆動歯車８３の軸心から右上方に配置される。
【００６４】
第一駆動アーム８４は、第二駆動歯車８３に伝達された駆動力が、次に伝達される細長い板状の部材である。第一駆動アーム８４は、ケース体３０内にて第二駆動歯車８３の概ね上部前方に配置される。また、第一駆動アーム８４は、長手方向を概ね左右方向とし、右端部が下方へ向けて湾曲し、左端部が上方へ向けて湾曲して形成される。第一駆動アーム８４の右端部には、前後方向に貫通した右側貫通孔８４ａが穿孔される。また、第一駆動アーム８４の左端部には、前後方向に貫通した左側貫通孔８４ｂが穿孔される。そして、第一駆動アーム８４の右端部は、右側貫通孔８４ａに後方から第二駆動歯車８３の第二駆動歯車ボス部８６が挿通され、当該第二駆動歯車ボス部８６の前端部が座金とともにネジ止めされることによって回動自在に軸支される。
【００６５】
駆動伝達板８５は、第一駆動アーム８４に伝達された駆動力が、次に伝達されるとともに、その駆動力を第二アーム５０に伝達する概ね楕円形の板状の部材である。駆動伝達板８５は、ケース体３０内にて第一駆動アーム８４の後方であって概ね左上方に配置される。また、駆動伝達板８５は、長手方向を概ね左上右下の斜め方向として配置される。
【００６６】
駆動伝達板８５の下端部には、円筒状に形成された伝達板ボス部８７が、軸心方向を前後方向として前方へ向けて突出される。そして、伝達板ボス部８７は、第一駆動アーム８４の左側貫通孔８４ｂに後方から挿通され、当該伝達板ボス部８７の前端部が座金とともにネジ止めされることによって、第一駆動アーム８４の左端部が回動自在に軸支される。
【００６７】
駆動伝達板８５の上端部には、前後方向に貫通した伝達板貫通孔８８が穿孔される。そして、駆動伝達板８５の上端部は、伝達板貫通孔８８に挿通された（第二アーム５０の上端部を軸支している）第三回動軸５１ａを介して、ケース体３０内に回動自在に軸支される。
また、駆動伝達板８５の上端部は、第二アーム５０の上端部に相対回転不能に嵌合される。つまり、同一の回動軸（第三回動軸５１ａ）により回動自在に軸支された駆動伝達板８５と第二アーム５０とは、第三回動軸５１ａを中心として一体的に回動するように形成される。
【００６８】
次に、上述の如く構成された第一駆動機構８０の動作態様について、図１０及び図１１を用いて説明する。
【００６９】
先ず、待機位置に支持された状態の可動体６０を作動位置へ回動させるための駆動力を第一アーム４０及び第二アーム５０に伝達する場合の第一駆動機構８０の動作態様について説明する。
なお、かかる場合、第一駆動機構８０の動作態様は、図１０及び図１１の（ａ）、（ｂ）、（ｃ）と順番に変化していくこととなる（図中の白抜き矢印参照）。
【００７０】
モータ８１の出力軸８１ａから出力された駆動力は、次に第一駆動歯車８２に伝達される。第一駆動歯車８２は、正面視左回り（反時計回り）に回転する。第一駆動歯車８２に伝達された駆動力は、第二駆動歯車８３に伝達される。第二駆動歯車８３は、第一駆動歯車８２の回転に応じて、正面視右回り（時計回り）に回転する。また、第二駆動歯車８３の回転とともに、第二駆動歯車ボス部８６が、第二駆動歯車８３の軸心を中心として正面視右回り（時計回り）に回動する。
【００７１】
第二駆動歯車８３に伝達された駆動力は、次に第一駆動アーム８４に伝達される。第一駆動アーム８４は、第二駆動歯車８３の第二駆動歯車ボス部８６の回動に応じて、第一駆動アーム８４の右端部が当該第二駆動歯車ボス部８６の回動軌跡に沿って移動し、長手方向を概ね左右方向として回動しながら全体として右方へ移動する。
【００７２】
第一駆動アーム８４に伝達された駆動力は、次に駆動伝達板８５に伝達される。駆動伝達板８５は、第一駆動アーム８４の移動に応じて、上端部の伝達板貫通孔８８に挿通された第三回動軸５１ａの軸心を中心として正面視左回り（反時計回り）に回動する。
【００７３】
駆動伝達板８５に伝達された駆動力は、次に第二アーム５０に伝達される。第二アーム５０は、駆動伝達板８５の回動に応じて、第二アーム上側貫通孔５１に挿通された第三回動軸５１ａの軸心を中心として正面視左回り（反時計回り）に回動する。
【００７４】
このように、モータ８１の出力軸８１ａから出力された駆動力は、第一駆動歯車８２、第二駆動歯車８３、第一駆動アーム８４、駆動伝達板８５、第二アーム５０へと順番に伝達される。そして、第一駆動機構８０によって第二アーム５０に伝達された駆動力は、回動軸支板７４を介して第一アーム４０に伝達される。即ち、第二アーム５０とともに回動軸支板７４に軸支されて、互いに対向して配置された一対のリンク部材として四節平行リンク機構を構成する第一アーム４０が、第二アーム５０の回動に応じて、第一アーム上側貫通孔４１に挿通された第一回動軸４１ａの軸心を中心として正面視左回り（反時計回り）に回動する。その結果、畳まれた状態の第一アーム４０及び第二アーム５０が展開し、待機位置に支持された状態の可動体６０が、左右方向の姿勢を維持したまま作動位置へと回動される。
【００７５】
次に、作動位置に支持された状態の可動体６０を待機位置へ回動させるための駆動力を第一アーム４０及び第二アーム５０に伝達する場合の第一駆動機構の動作態様について説明する。
なお、かかる場合、第一駆動機構８０の動作態様は、図１０及び図１１の（ｃ）、（ｂ）、（ａ）と順番に変化していくこととなる（図中の黒塗り矢印参照）。
【００７６】
モータ８１の出力軸８１ａから出力された駆動力は、次に第一駆動歯車８２に伝達される。第一駆動歯車８２は、正面視右回り（時計回り）に回転する。第一駆動歯車８２に伝達された駆動力は、第二駆動歯車８３に伝達される。第二駆動歯車８３は、第一駆動歯車８２の回転に応じて、正面視左回り（反時計回り）に回転する。また、第二駆動歯車８３の回転とともに、第二駆動歯車ボス部８６が、第二駆動歯車８３の軸心を中心として正面視左回り（反時計回り）に回動する。
【００７７】
第二駆動歯車８３に伝達された駆動力は、次に第一駆動アーム８４に伝達される。第一駆動アーム８４は、第二駆動歯車８３の第二駆動歯車ボス部８６の回動に応じて、第一駆動アーム８４の右端部が当該第二駆動歯車ボス部８６の回動軌跡に沿って移動し、全体として長手方向を概ね左右方向として回動しながら左方へ移動する。
【００７８】
第一駆動アーム８４に伝達された駆動力は、次に駆動伝達板８５に伝達される。駆動伝達板８５は、第一駆動アーム８４の移動に応じて、上端部の伝達板貫通孔８８に挿通された第三回動軸５１ａの軸心を中心として正面視右回り（時計回り）に回動する。
【００７９】
駆動伝達板８５に伝達された駆動力は、次に第二アーム５０に伝達される。第二アーム５０は、駆動伝達板８５の回動に応じて、第二アーム上側貫通孔５１に挿通された第三回動軸５１ａの軸心を中心として正面視右回り（時計回り）に回動する。
【００８０】
このように、モータ８１の出力軸８１ａから出力された駆動力は、第一駆動歯車８２、第二駆動歯車８３、第一駆動アーム８４、駆動伝達板８５、第二アーム５０へと順番に伝達される。そして、第一駆動機構８０によって第二アーム５０に伝達された駆動力は、回動軸支板７４を介して第一アーム４０に伝達される。即ち、第二アーム５０とともに回動軸支板７４に軸支されて、互いに対向して配置された一対のリンク部材として四節平行リンク機構を構成する第一アーム４０が、第二アーム５０の回動に応じて、第一アーム上側貫通孔４１に挿通された第一回動軸４１ａの軸心を中心として正面視右回り（時計回り）に回動する。その結果、展開された状態の第一アーム４０及び第二アーム５０が畳まれた状態に移行し、作動位置に支持された状態の可動体６０が、左右方向の姿勢を維持したまま待機位置へと回動される。
【００８１】
次に、可動役物装置１００の第二駆動機構９０の構成について説明する。
なお、以下では、特に説明がなければ、可動体６０が作動位置に支持された状態の第二駆動機構９０を想定して、その配置構成を説明する。
【００８２】
図４、図８及び図９に示す第二駆動機構９０は、可動体６０を回動させるために第二アーム５０に伝達された駆動力を当該可動体６０に伝達して、可動体６０の待機位置から作動位置（または、作動位置から待機位置）への回動とともに当該可動体６０を変形させるための機構である。第二駆動機構９０は、可動体６０の可動体上部６１の後方であって、左右略中央に配置される。第二駆動機構９０は、主として、第二駆動アーム９１と、上述の如く構成された可動体左足部６２の左足軸支部６６と、上述の如く構成された可動体右足部６３の右足軸支部７３と、により構成される。
【００８３】
第二駆動アーム９１は、第二アーム５０に伝達された駆動力を可動体左足部６２に伝達するための細長い板状の部材である。第二駆動アーム９１は、可動体上部６１の左右略中央から左方であって、第一アーム４０の第一アーム延出部４３及び可動体左足部６２の左足突出部６８の後方にて、長手方向を概ね上下方向として配置される。第二駆動アーム９１の上端部には、前後方向に貫通した第二駆動アーム上側貫通孔９１ａが穿孔される。また、第二駆動アーム９１の下端部には、前後方向に貫通した第二駆動アーム下側貫通孔９１ｂが穿孔される。そして、第二駆動アーム９１の上端部は、第二駆動アーム上側貫通孔９１ａに前方から第一アーム４０の第一アームボス部４６が挿通され、当該第一アームボス部４６の後端部が座金とともにネジ止めされることによって回動自在に軸支される。また、第二駆動アーム９１の下端部は、第二駆動アーム下側貫通孔９１ｂに前方から可動体左足部６２の左足ボス部７２が挿通され、当該左足ボス部７２の後端部が座金とともにネジ止めされることによって回動自在に軸支される。
このように、リンク部材として第一アーム４０の第一アーム延出部４３と、第二駆動アーム９１と、可動体左足部６２の左足突出部６８とを備えて、第一アーム延出部４３を原動節、可動体上部６１を固定節、第二駆動アーム９１を中間節、左足突出部６８を従動節とする四節リンク機構を構成する。そして、第二回動軸４２ａ、第一アームボス部４６、左足ボス部７２及び左足回動軸６７ａは、それぞれ上記のリンク部材を連結する回転対偶であり、正面視の四角形の頂点に相当する位置に配置される。
【００８４】
次に、上述の如く構成された第二駆動機構９０の動作態様について、図１２を用いて説明する。
【００８５】
先ず、作動位置に支持された状態の可動体６０を待機位置へ回動させるための駆動力が第一アーム４０及び第二アーム５０に伝達された場合の第二駆動機構９０の動作態様について説明する。
なお、かかる場合、第二駆動機構９０の動作態様は、図１２の（ａ）、（ｂ）、（ｃ）と順番に変化していくこととなる（図中の白抜き矢印参照）。
【００８６】
第一駆動機構８０によって第一アーム４０及び第二アーム５０に伝達された駆動力は、次に第二駆動アーム９１に伝達される。第二駆動アーム９１は、第一アーム４０の第一アームボス部４６の回動に応じて、第二駆動アーム９１の上端部が当該第一アームボス部４６の回動軌跡に沿って移動し、長手方向を概ね上下方向として回動しながら、回動軸支板７４（可動体上部６１）に対して全体として上方へ移動する。
【００８７】
第二駆動アーム９１に伝達された駆動力は、次に可動体左足部６２の左足軸支部６６に伝達される。即ち、第二駆動アーム９１が可動体上部６１に対して全体として上方へ移動すると、左足突出部６８とともに左足軸支部６６が左足貫通孔６７に挿通された左足回動軸６７ａの軸心を中心として背面視左回り（反時計回り）に回動する。
このように、左足軸支部６６に駆動力が伝達されると、可動体左足部６２が左足回動軸６７ａの軸心を中心として背面視左回り（反時計回り）に回動する。
【００８８】
また、左足軸支部６６に伝達された駆動力は、次に右足軸支部７３に伝達される。即ち、左足軸支部６６の回動とともに、左足軸支部６６の左足歯車部６９が左足回動軸６７ａの軸心とともに背面視左回り（反時計回り）に回動する。そして、左足歯車部６９の回動に応じて、右足軸支部７３の右足歯車部７１が右足貫通孔７０に挿通された右足回動軸７０ａの軸心を中心として背面視右回り（時計回り）に回動する。そして、右足歯車部７１の回動とともに、右足軸支部７３が右足回動軸７０ａの軸心を中心として背面視右回り（時計回り）に回動する。
このように、右足軸支部７３に駆動力が伝達されると、可動体右足部６３が右足回動軸７０ａの軸心を中心として背面視右回り（時計回り）に回動する。
【００８９】
このように、第一駆動機構８０によって第一アーム４０及び第二アーム５０に伝達された駆動力は、第二駆動アーム９１、左足軸支部６６、右足軸支部７３へと順番に伝達される。そして、第二駆動機構９０は、第一駆動機構８０によって第一アーム４０及び第二アーム５０に駆動力が伝達されている間、換言すれば、可動体６０が作動位置に支持された状態から待機位置へと回動されている間に、当該第二駆動機構９０からの駆動力によって、可動体左足部６２及び可動体右足部６３を相互に離間する方向へ回動させ、可動体６０を正面視で漢字の「大」を模した形状から左右に細長い概ね矩形の形状となるように変形させる。
【００９０】
次に、待機位置に支持された状態の可動体６０を作動位置へ回動させるための駆動力が第一アーム４０及び第二アーム５０に伝達された場合の第二駆動機構９０の動作態様について説明する。
なお、かかる場合、第二駆動機構９０の動作態様は、図１２の（ｃ）、（ｂ）、（ａ）と順番に変化していくこととなる（図中の黒塗り矢印参照）。
【００９１】
第一駆動機構８０によって第一アーム４０及び第二アーム５０に伝達された駆動力は、次に第二駆動アーム９１に伝達される。第二駆動アーム９１は、第一アーム４０の第一アームボス部４６の回動に応じて、第二駆動アーム９１の上端部が当該第一アームボス部４６の回動軌跡に沿って移動し、長手方向を概ね上下方向として回動しながら、回動軸支板７４（可動体上部６１）に対して全体として下方へ移動する。
【００９２】
第二駆動アーム９１に伝達された駆動力は、次に可動体左足部６２の左足軸支部６６に伝達される。即ち、第二駆動アーム９１が可動体上部６１に対して全体として下方へ移動すると、左足突出部６８とともに左足軸支部６６が左足貫通孔６７に挿通された左足回動軸６７ａの軸心を中心として背面視右回り（時計回り）に回動する。
このように、左足軸支部６６に駆動力が伝達されると、可動体左足部６２が左足回動軸６７ａの軸心を中心として背面視右回り（時計回り）に回動する。
【００９３】
また、左足軸支部６６に伝達された駆動力は、次に右足軸支部７３に伝達される。即ち、左足軸支部６６の回動とともに、左足軸支部６６の左足歯車部６９が左足回動軸６７ａの軸心とともに背面視右回り（時計回り）に回動する。そして、左足歯車部６９の回動に応じて、右足軸支部７３の右足歯車部７１が右足貫通孔７０に挿通された右足回動軸７０ａの軸心を中心として背面視左回り（反時計回り）に回動する。そして、右足歯車部７１の回動とともに、右足軸支部７３が右足回動軸７０ａの軸心を中心として背面視左回り（反時計回り）に回動する。
このように、右足軸支部７３に駆動力が伝達されると、可動体右足部６３が右足回動軸７０ａの軸心を中心として背面視右回り（時計回り）に回動する。
【００９４】
このように、第一駆動機構８０によって第一アーム４０及び第二アーム５０に伝達された駆動力は、第二駆動アーム９１、左足軸支部６６、右足軸支部７３へと順番に伝達される。そして、第二駆動機構９０は、第一駆動機構８０によって第一アーム４０及び第二アーム５０に駆動力が伝達されている間、換言すれば、可動体６０が待機位置に支持された状態から作動位置へと回動されている間に、当該第二駆動機構９０からの駆動力によって、可動体左足部６２及び可動体右足部６３を相互に近接する方向へ回動させ、可動体６０を正面視で左右に細長い概ね矩形の形状から漢字の「大」を模した形状となるように変形させる。
【００９５】
なお、上述した第二回動軸４２ａ及び第四回動軸５２ａは本発明に係る第一支軸又は第二支軸の実施の一形態であり、可動体上部６１は本発明に係る基台の実施の一形態であり、第一アーム４０及び第二アーム５０は本発明に係る第一可動物又は第二可動物の実施の一形態であり、左足回動軸６７ａ及び右足回動軸７０ａは本発明に係る第二支軸又は第一支軸の実施の一形態であり、可動体左足部６２及び可動体右足部６３は本発明に係る第二可動物又は第一可動物の実施の一形態であり、回動軸支板７４は本発明に係る蓋部材の実施の一形態である。
【００９６】
次に、第一アーム４０、第二アーム５０、可動体左足部６２、及び可動体右足部６３の構成について、さらに詳細に説明する。
【００９７】
なお、以下では、可動体６０を作動位置に支持した状態の第一アーム４０、第二アーム５０、可動体左足部６２及び可動体右足部６３を想定して、その配置構成を説明する。
【００９８】
図１３及び図１４に示す第一アーム４０は、湾曲した細長い概ね棒状の部材であり、可動体６０を支持する強度を保つため短手方向に少なくとも一定の幅を有して形成される。第一アーム４０は、その後側面が後述する第一アーム開放部４０ｅにより開放された略箱状に構成される。第一アーム４０は、上述にて説明した第一アーム上側貫通孔４１、第一アーム下側貫通孔４２、第一アーム延出部４３、及び第一アームボス部４６の他に、第一アーム上側収容溝４０ａと、第一アーム上側スリット４０ｂと、第一アーム下側収容溝４０ｃと、第一アーム下側スリット４０ｄと、第一アーム開放部４０ｅと、を備える。
【００９９】
第一アーム上側収容溝４０ａは、第一回動軸４１ａ（第一アーム上側貫通孔４１）の軸線を中心とする円周上に沿うように形成され、第一アーム４０の内部において後述する左配線２００Ｌを案内する溝である。より詳細には、第一アーム上側収容溝４０ａは、第一アーム上側貫通孔４１が形成されるボス部と第一アーム４０の外周面との間に形成される。
【０１００】
第一アーム上側スリット４０ｂは、第一アーム上側収容溝４０ａと第一アーム４０の外部とを連通し、第一アームの内部から外部にわたるように後述する左配線２００Ｌを案内するものである。第一アーム上側スリット４０ｂは、第一アーム上側貫通孔４１の略左方において、第一アーム４０の外周面の一部を切り欠いて形成される。
【０１０１】
第一アーム下側収容溝４０ｃは、第二回動軸４２ａ（第一アーム下側貫通孔４２）の軸線を中心とする円周上に沿うように形成され、第一アーム４０の内部において後述する左配線２００Ｌを案内する溝である。より詳細には、第一アーム下側収容溝４０ｃは、第一アーム下側貫通孔４２が形成されるボス部と第一アーム４０の外周面との間に形成される。第一アーム下側収容溝４０ｃの短手方向の幅は、後述する左配線２００Ｌの厚さに対応した基準幅（左配線２００Ｌの厚さに僅かな余裕分を付加して左配線２００Ｌを収容可能とした幅）であって、できるだけ狭くなるように形成される。
【０１０２】
第一アーム下側スリット４０ｄは、第一アーム下側収容溝４０ｃと第一アーム４０の外部とを連通し、第一アーム４０の内部から外部にわたるように後述する左配線２００Ｌを案内するものである。第一アーム下側スリット４０ｄは、第一アーム下側貫通孔４２の略下方において、第一アーム４０の外周面の一部を切り欠いて形成される。第一アーム下側スリット４０ｄは、可動体６０が作動位置と待機位置とを往復する際に左足歯車部６９と対向しない位置に形成される。これによって、後述する左配線２００Ｌが左足歯車部６９と干渉し難くすることができる。
【０１０３】
第一アーム開放部４０ｅは、第一アーム４０を外部に向かって開放する開口部である。第一アーム開放部４０ｅは、第一アーム４０の後側面全体を開口するように形成される。より詳細には、第一アーム開放部４０ｅは、第一アーム上側収容溝４０ａ、第一アーム上側スリット４０ｂ、第一アーム下側収容溝４０ｃ、及び第一アーム下側スリット４０ｄ等を後方に向かって開放する。
【０１０４】
図１３及び図１４に示す第二アーム５０は、湾曲した細長い概ね棒状の部材であり、可動体６０を支持する強度を保つため短手方向に少なくとも一定の幅を有して形成される。第二アーム５０は、その後側面が後述する第二アーム開放部５０ｅにより開放された略箱状に構成される。第二アーム５０は、上述にて説明した第二アーム上側貫通孔５１及び第二アーム下側貫通孔５２の他に、第二アーム上側収容溝５０ａと、第二アーム上側スリット５０ｂと、第二アーム下側収容溝５０ｃと、第二アーム下側スリット５０ｄと、第二アーム開放部５０ｅと、を備える。
【０１０５】
第二アーム上側収容溝５０ａは、第三回動軸５１ａ（第二アーム上側貫通孔５１）の軸線を中心とする円周上に沿うように形成され、第二アーム５０の内部において後述する右配線２００Ｒを案内する溝である。より詳細には、第二アーム上側収容溝５０ａは、第二アーム上側貫通孔５１が形成されるボス部と第二アーム５０の外周面との間に形成される。
【０１０６】
第二アーム上側スリット５０ｂは、第二アーム上側収容溝５０ａと第二アーム５０の外部とを連通し、第二アーム５０の内部から外部にわたるように後述する右配線２００Ｒを案内するものである。第二アーム上側スリット５０ｂは、第二アーム上側貫通孔５１の略右方において、第二アーム５０の外周面の一部を切り欠いて形成される。
【０１０７】
第二アーム下側収容溝５０ｃは、第四回動軸５２ａ（第二アーム下側貫通孔５２）の軸線を中心とする円周上に沿うように形成され、第二アーム５０の内部において後述する右配線２００Ｒを案内する溝である。より詳細には、第二アーム下側収容溝５０ｃは、第二アーム下側貫通孔５２が形成されるボス部と第二アーム５０の外周面との間に形成される。第二アーム下側収容溝５０ｃの短手方向の幅は、第一アーム４０の第一アーム下側収容溝４０ｃと同様、後述する右配線２００Ｒの厚さに対応した基準幅であって、できるだけ狭くなるように形成される。
【０１０８】
第二アーム下側スリット５０ｄは、第二アーム下側収容溝５０ｃと第二アーム５０の外部とを連通し、第二アーム５０の内部から外部にわたるように後述する右配線２００Ｒを案内するものである。第二アーム下側スリット５０ｄは、第二アーム下側貫通孔５２の略右下方において、第二アーム５０の外周面の一部を切り欠いて形成される。第二アーム下側スリット５０ｄは、可動体６０が作動位置と待機位置とを往復する際に右足歯車部７１と対向しない位置に形成される。これによって、後述する右配線２００Ｒが右足歯車部７１と干渉し難くすることができる。
【０１０９】
第二アーム開放部５０ｅは、第二アーム５０を外部に向かって開放する開口部である。第二アーム開放部５０ｅは、第二アーム５０の後側面全体を開口するように形成される。より詳細には、第二アーム開放部５０ｅは、第二アーム上側収容溝５０ａ、第二アーム上側スリット５０ｂ、第二アーム下側収容溝５０ｃ、及び第二アーム下側スリット５０ｄ等を後方に向かって開放する。
【０１１０】
図１３及び図１４に示す可動体左足部６２の左足軸支部６６は、上下方向に細長い概ね棒状の部分であり、短手方向に一定の幅を有して形成される。左足軸支部６６の長手方向（上下方向）長さは、第一アーム４０の長手方向長さよりも短く構成される。左足軸支部６６は、その後側面が後述する左足開放部６２ｄにより開放された略箱状に構成される。左足軸支部６６は、上述にて説明した左足貫通孔６７、左足突出部６８、及び左足歯車部６９の他に、左足収容溝６２ａと、左足スリット６２ｂと、左足導入スリット６２ｃと、左足開放部６２ｄと、を備える。
【０１１１】
左足収容溝６２ａは、左足回動軸６７ａ（左足貫通孔６７）の軸線を中心とする円周上に沿うように形成され、左足軸支部６６の内部において後述する左配線２００Ｌを案内する溝である。より詳細には、左足収容溝６２ａは、左足貫通孔６７が形成されるボス部と左足軸支部６６の外周面との間に形成される。左足収容溝６２ａの短手方向の幅は、第一アーム下側収容溝４０ｃの短手方向の幅よりも幅広くなるように形成される。
【０１１２】
左足スリット６２ｂは、左足収容溝６２ａと左足軸支部６６の外部とを連通し、左足軸支部６６の内部から外部にわたるように後述する左配線２００Ｌを案内するものである。左足スリット６２ｂは、左足貫通孔６７の略上方において、左足軸支部６６の外周面の一部を切り欠いて形成される。
【０１１３】
左足導入スリット６２ｃは、可動体左足部６２の下部の内部と外部とを連通するものである。左足導入スリット６２ｃは、可動体左足部６２の下部の上側面（左足軸支部６６と対向する部分）に形成される。
【０１１４】
左足開放部６２ｄは、可動体左足部６２の左足軸支部６６を外部に向かって開放する開口部である。左足開放部６２ｄは、左足軸支部６６の後側面全体を開口するように形成される。より詳細には、左足開放部６２ｄは、左足収容溝６２ａ、及び左足スリット６２ｂ等を後方に向かって開放する。
【０１１５】
図１３及び図１４に示す可動体右足部６３の右足軸支部７３は、上下方向に細長い概ね棒状の部分であり、短手方向に一定の幅を有して形成される。右足軸支部７３の長手方向（上下方向）長さは、第二アーム５０の長手方向長さよりも短く構成される。右足軸支部７３は、その後側面が後述する右足開放部６３ｄにより開放された略箱状に構成される。右足軸支部７３は、上述にて説明した右足貫通孔７０、及び右足歯車部７１の他に、右足収容溝６３ａと、右足スリット６３ｂと、右足導入スリット６３ｃと、右足開放部６３ｄと、を備える。
【０１１６】
右足収容溝６３ａは、右足回動軸７０ａ（右足貫通孔７０）の軸線を中心とする円周上に沿うように形成され、右足軸支部７３の内部において後述する右配線２００Ｒを案内する溝である。より詳細には、右足収容溝６３ａは、右足貫通孔７０が形成されるボス部と右足軸支部７３の外周面との間に形成される。右足収容溝６３ａの短手方向の幅は、第二アーム下側収容溝５０ｃの短手方向の幅よりも幅広くなるように形成される。
【０１１７】
右足スリット６３ｂは、右足収容溝６３ａと右足軸支部７３の外部とを連通し、右足軸支部７３の内部から外部にわたるように後述する右配線２００Ｒを案内するものである。右足スリット６３ｂは、右足貫通孔７０の略上方において、右足軸支部７３の外周面の一部を切り欠いて形成される。
【０１１８】
右足導入スリット６３ｃは、可動体右足部６３の下部の内部と外部とを連通するものである。右足導入スリット６３ｃは、可動体右足部６３の下部の上側面（右足軸支部７３と対向する部分）に形成される。
【０１１９】
右足開放部６３ｄは、可動体右足部６３の右足軸支部７３を外部に向かって開放する開口部である。右足開放部６３ｄは、右足軸支部７３の後側面全体を開口するように形成される。より詳細には、右足開放部６３ｄは、右足収容溝６３ａ、及び右足スリット６３ｂ等を後方に向かって開放する。
【０１２０】
上述の如く構成された第一アーム４０、第二アーム５０、可動体左足部６２、及び可動体右足部６３において、第一アーム４０の下端部は、第二回動軸４２ａを介して可動体上部６１（より詳細には上部突出部６４）に対して回動可能に軸支される。
また、可動体左足部６２の上端部（より詳細には左足軸支部６６）は、第二回動軸４２ａと上下方向に所定間隔を隔てて配置される左足回動軸６７ａを介して可動体上部６１に対して回動可能に軸支される。
また、第二アーム５０の下端部は、第四回動軸５２ａを介して可動体上部６１（より詳細には上部突出部６４）に対して回動可能に軸支される。
また、可動体右足部６３の上端部（より詳細には右足軸支部７３）は、第四回動軸５２ａと上下方向に所定間隔を隔てて配置される右足回動軸７０ａを介して可動体上部６１に対して回動可能に軸支される。
【０１２１】
次に、可動役物装置１００に設けられる配線（左配線２００Ｌ及び右配線２００Ｒ）について説明する。
【０１２２】
図１５及び図１６に示す左配線２００Ｌは、可動役物装置１００が備える電子部品に電気を伝えるための配線部材であり、前記電子部品と遊技機１の電源とを電気的に接続するためのものである。左配線２００Ｌは、例えば、複数の細線ケーブルを平板状に束ねて絶縁被覆したフラットケーブルによって構成され、第一アーム４０の内部及び可動体左足部６２の左足軸支部６６の内部を通るように配置される。左配線２００Ｌの一端（下端）は、例えば可動体左足部６２内に配設されるＬＥＤに接続される。左配線２００Ｌの他端（上端）は、例えば基板取付板３３に固定された装飾基板３３ａに接続される。装飾基板３３ａは遊技機１の電源と接続されており、可動役物装置１００が備える電子部品である可動体左足部６２内のＬＥＤは、装飾基板３３ａおよび左配線２００Ｌを介して遊技機１の電源と接続されることとなる。
【０１２３】
より詳細には、左配線２００Ｌの一端（下端）は、左足導入スリット６２ｃを介して可動体左足部６２の下部の内部に導入され、当該可動体左足部６２内に配設されるＬＥＤに接続される。
左足導入スリット６２ｃを介して可動体左足部６２の下部上側面から導出された左配線２００Ｌは、左足軸支部６６の内部、左足収容溝６２ａ、及び左足スリット６２ｂを順に通って当該左足軸支部６６の外部に導出される。
左足軸支部６６の左足スリット６２ｂから導出された左配線２００Ｌは、第一アーム４０の第一アーム下側スリット４０ｄを介して当該第一アーム４０の内部に導入される。
第一アーム下側スリット４０ｄを介して第一アーム４０の内部に導入された左配線２００Ｌは、第一アーム下側収容溝４０ｃ、第一アーム４０の内部、第一アーム上側収容溝４０ａ、及び第一アーム上側スリット４０ｂを順に通って当該第一アーム４０の外部に導出される。
第一アーム４０の第一アーム上側スリット４０ｂから導出された左配線２００Ｌの他端（上端）は、装飾基板３３ａに接続される。
【０１２４】
図１５及び図１６に示す右配線２００Ｒは、可動役物装置１００が備える電子部品に電気を伝えるための配線部材であり、前記電子部品と遊技機１の電源とを電気的に接続するためのものである。右配線２００Ｒは、左配線２００Ｌと同様、例えば、フラットケーブルによって構成され、第二アーム５０の内部及び可動体右足部６３の右足軸支部７３の内部を通るように配置される。右配線２００Ｒの一端（下端）は、例えば可動体右足部６３内に配設されるＬＥＤに接続される。右配線２００Ｒの他端（上端）は、例えば基板取付板３３に固定された装飾基板３３ａに接続される。装飾基板３３ａは遊技機１の電源と接続されており、可動役物装置１００が備える電子部品である可動体右足部６３内のＬＥＤは、装飾基板３３ａおよび右配線２００Ｒを介して遊技機１の電源と接続されることとなる。
【０１２５】
より詳細には、右配線２００Ｒの一端（下端）は、右足導入スリット６３ｃを介して可動体右足部６３の下部の内部に導入され、当該可動体右足部６３内に配設されるＬＥＤに接続される。
右足導入スリット６３ｃを介して可動体右足部６３の下部上側面から導出された右配線２００Ｒは、右足軸支部７３の内部、右足収容溝６３ａ、及び右足スリット６３ｂを順に通って当該右足軸支部７３の外部に導出される。
右足軸支部７３の右足スリット６３ｂから導出された右配線２００Ｒは、第二アーム５０の第二アーム下側スリット５０ｄを介して当該第二アーム５０の内部に導入される。
第二アーム下側スリット５０ｄを介して第二アーム５０の内部に導入された右配線２００Ｒは、第二アーム下側収容溝５０ｃ、第二アーム５０の内部、第二アーム上側収容溝５０ａ、及び第二アーム上側スリット５０ｂを順に通って当該第二アーム５０の外部に導出される。
第二アーム５０の第二アーム上側スリット５０ｂから導出された右配線２００Ｒの他端（上端）は、装飾基板３３ａに接続される。
【０１２６】
また、前述の如く、第二回動軸４２ａ、第四回動軸５２ａ、左足回動軸６７ａ、及び右足回動軸７０ａの後端には、回動軸支板７４が設けられる。より詳細には、回動軸支板７４は、第一アーム４０の第一アーム下側収容溝４０ｃ及び第一アーム下側スリット４０ｄ、第二アーム５０の第二アーム下側収容溝５０ｃ及び第二アーム下側スリット５０ｄ、左足軸支部６６の左足収容溝６２ａ及び左足スリット６２ｂ、並びに右足軸支部７３の右足収容溝６３ａ及び右足スリット６３ｂの開放部（第一アーム開放部４０ｅ、第二アーム開放部５０ｅ、左足開放部６２ｄ、及び右足開放部６３ｄ）を後方から閉塞するように配置される。さらに、回動軸支板７４は略矩形状に構成され、第二回動軸４２ａ、第四回動軸５２ａ、右足回動軸７０ａ、及び左足回動軸６７ａで囲まれる略矩形状の空間を背後から閉塞するように配置される。
【０１２７】
また、前述の如く、第一回動軸４１ａ、及び第三回動軸５１ａの後端には、基板取付板３３が設けられる。より詳細には、基板取付板３３は、第一アーム４０の第一アーム上側収容溝４０ａ及び第一アーム上側スリット４０ｂ、並びに第二アーム５０の第二アーム上側収容溝５０ａ及び第二アーム上側スリット５０ｂの開放部（第一アーム開放部４０ｅ、及び第二アーム開放部５０ｅ）を後方から閉塞するように配置される。
【０１２８】
なお、上述の第一アーム下側収容溝４０ｃ及び第二アーム下側収容溝５０ｃは本発明に係る第一溝又は第二溝の実施の一形態であり、第一アーム下側スリット４０ｄ及び第二アーム下側スリット５０ｄは本発明に係る出口部又は入口部の実施の一形態であり、左足収容溝６２ａ及び右足収容溝６３ａは本発明に係る第二溝又は第一溝の実施の一形態であり、左足スリット６２ｂ及び右足スリット６３ｂは本発明に係る入口部又は出口部の実施の一形態であり、第一アーム開放部４０ｅ、第二アーム開放部５０ｅ、左足開放部６２ｄ、及び右足開放部６３ｄは本発明に係る開放部の実施の一形態である。
【０１２９】
次に、上述の如く構成された可動役物装置１００において、可動体６０を作動位置から待機位置に移動させる際、及び待機位置から作動位置に移動させる際の左配線２００Ｌの様子について説明する。
まず、作動位置から待機位置に移動させる場合について説明する。
【０１３０】
可動体６０を図１５に示す作動位置から図１７に示す待機位置に移動させると、第一アーム４０の第一アーム下側スリット４０ｄと左足軸支部６６の左足スリット６２ｂとの相対的な位置関係が変わる。具体的には、第一アーム下側スリット４０ｄは左足スリット６２ｂに対して相対的に右上方に移動する。
【０１３１】
ここで、上述の通り、第一アーム４０の第一アーム下側収容溝４０ｃは左配線２００Ｌの幅に合わせてできるだけ狭くなるように形成されているのに対し、左足軸支部６６の左足収容溝６２ａは当該第一アーム下側収容溝４０ｃの幅よりも幅広くなるように形成されている。このため、左配線２００Ｌは、第一アーム下側収容溝４０ｃ内を移動し難いのに対し、左足収容溝６２ａ内を移動し易い。
【０１３２】
したがって、可動体６０が作動位置から待機位置に移動し、第一アーム下側スリット４０ｄが左足スリット６２ｂに対して相対的に右上方に移動すると、左配線２００Ｌは第一アーム下側収容溝４０ｃ内をあまり移動することがないため、当該左配線２００Ｌは第一アーム４０と左足軸支部６６との間で右上方に引っ張られることになる。
【０１３３】
一方、左配線２００Ｌは左足収容溝６２ａ内を移動し易いため、当該左配線２００Ｌが右上方に引っ張られた場合、左足軸支部６６内に配置されていた左配線２００Ｌが左足収容溝６２ａ及び左足スリット６２ｂを介して左足軸支部６６の外部に引っ張り出される。このため、可動体６０が作動位置から待機位置に移動した場合であっても、第一アーム４０と左足軸支部６６との間で左配線２００Ｌに過剰な引っ張り荷重（負荷）が加わることを防止することができる。
【０１３４】
次に、可動体６０を待機位置から作動位置に移動させる場合について説明する。
【０１３５】
可動体６０を図１７に示す待機位置から図１５に示す作動位置に移動させると、第一アーム４０の第一アーム下側スリット４０ｄと左足軸支部６６の左足スリット６２ｂとの相対的な位置関係が変わる。具体的には、第一アーム下側スリット４０ｄは左足スリット６２ｂに対して相対的に左下方に移動する。
【０１３６】
第一アーム下側スリット４０ｄが左足スリット６２ｂに対して相対的に左下方に移動すると、左配線２００Ｌは第一アーム下側収容溝４０ｃ内をあまり移動することがないため、当該左配線２００Ｌは第一アーム４０と左足軸支部６６との間で左下方に押されることになる。
【０１３７】
一方、左配線２００Ｌは左足収容溝６２ａ内を移動し易いため、当該左配線２００Ｌが左下方に押された場合、左足軸支部６６の外部に配置されていた左配線２００Ｌが左足スリット６２ｂ及び左足収容溝６２ａを介して左足軸支部６６内に押し込まれる。このため、可動体６０が待機位置から作動位置に移動した場合であっても、第一アーム４０と左足軸支部６６との間で左配線２００Ｌが絡まったり可動部に巻き込まれたりするのを防止することができる。
【０１３８】
次に、可動役物装置１００において、可動体６０を待機位置から作動位置に移動させる際、及び作動位置から待機位置に移動させる際の右配線２００Ｒの様子について説明する。
まず、待機位置から作動位置に移動させる場合について説明する。
【０１３９】
可動体６０を図１７に示す待機位置から図１５に示す作動位置に移動させると、第二アーム５０の第二アーム下側スリット５０ｄの位置が、第二アーム５０の回動に伴って右回り方向に第四回動軸５２ａの外周（より詳しくはボスの外周）上を移動し、これによって、右配線２００Ｒが引っ張られる。
【０１４０】
ここで、上述の通り、第二アーム５０の第二アーム下側収容溝５０ｃは右配線２００Ｒの幅に合わせてできるだけ狭くなるように形成されているのに対し、右足軸支部７３の右足収容溝６３ａは当該第二アーム下側収容溝５０ｃの幅よりも幅広くなるように形成されている。このため、右配線２００Ｒは、第二アーム下側収容溝５０ｃ内を移動し難いのに対し、右足収容溝６３ａ内を移動し易い。
【０１４１】
したがって、可動体６０が待機位置から作動位置に移動すると、右配線２００Ｒは第二アーム下側収容溝５０ｃ内をあまり移動することがないため、当該右配線２００Ｒは第二アーム５０と右足軸支部７３との間で上方に引っ張られることになる。
【０１４２】
一方、右配線２００Ｒは右足収容溝６３ａ内を移動し易いため、当該右配線２００Ｒが上方に引っ張られた場合、右足軸支部７３内に配置されていた右配線２００Ｒが右足収容溝６３ａ及び右足スリット６３ｂを介して右足軸支部７３の外部に引っ張り出される。このため、第二アーム５０と右足軸支部７３との間で右配線２００Ｒに過剰な引っ張り荷重（負荷）が加わることを防止することができる。
【０１４３】
次に、可動体６０を作動位置から待機位置に移動させる場合について説明する。
【０１４４】
可動体６０を図１５に示す作動位置から図１７に示す待機位置に移動させると、右配線２００Ｒは第二アーム５０と右足軸支部７３との間で下方に押されることになる。
【０１４５】
右配線２００Ｒは右足収容溝６３ａ内を移動し易いため、当該右配線２００Ｒが下方に押された場合、右足軸支部７３の外部に配置されていた右配線２００Ｒが右足スリット６３ｂ及び右足収容溝６３ａを介して右足軸支部７３内に押し込まれる。このため、可動体６０が待機位置から作動位置に移動した場合であっても、第二アーム５０と右足軸支部７３との間で右配線２００Ｒが絡まったり可動部に巻き込まれたりするのを防止することができる。
【０１４６】
次に、可動体６０が作動位置と待機位置とを往復する際の回動軸支板７４及び基板取付板３３の役割について説明する。
まず、回動軸支板７４の役割について説明する。
【０１４７】
前述の如く配置された回動軸支板７４によって、可動体６０が作動位置と待機位置とを往復する際の左配線２００Ｌ及び右配線２００Ｒの開放部側（後方）への移動（浮き上がり）を防止することができる。
【０１４８】
より詳細には、可動体６０が作動位置と待機位置とを往復する場合、前述の如く第一アーム４０の下端部から左足軸支部６６の内部にわたって配置される左配線２００Ｌ及び第二アーム５０の下端部から右足軸支部７３の内部にわたって配置される右配線２００Ｒは、概ね上下方向に押し引きされて移動する。
この際、当該左配線２００Ｌ及び右配線２００Ｒの後方が開放された状態であれば、当該左配線２００Ｌ及び右配線２００Ｒは後方へと浮き上がり、外部の部材と干渉するおそれがある。
しかし、左配線２００Ｌ及び右配線２００Ｒの後方は、回動軸支板７４によって閉塞されているため、当該左配線２００Ｌ及び右配線２００Ｒの後方への移動（浮き上がり）を防止することができ、ひいては当該左配線２００Ｌ及び右配線２００Ｒが外部の部材と干渉することを防止することができる。
【０１４９】
次に、基板取付板３３の役割について説明する。
【０１５０】
前述の如く配置された基板取付板３３によって、可動体６０が作動位置と待機位置とを往復する際の左配線２００Ｌ及び右配線２００Ｒの開放部側（後方）への移動（浮き上がり）を防止することができる。
【０１５１】
より詳細には、可動体６０が作動位置と待機位置とを往復する場合、第一アーム４０の上端部及び第二アームの上端部近傍においても、左配線２００Ｌ及び右配線２００Ｒが移動する可能性がある。
この際、当該左配線２００Ｌ及び右配線２００Ｒの後方が開放された状態であれば、当該左配線２００Ｌ及び右配線２００Ｒは後方へと浮き上がり、外部の部材と干渉するおそれがある。
しかし、左配線２００Ｌ及び右配線２００Ｒの後方は、回動軸支板７４によって閉塞されているため、当該左配線２００Ｌ及び右配線２００Ｒの後方への移動（浮き上がり）を防止することができ、ひいては当該左配線２００Ｌ及び右配線２００Ｒが外部の部材と干渉することを防止することができる。
【０１５２】
次に、可動体６０が作動位置と待機位置とを往復する際の、第一アーム４０及び左足軸支部６６の内部に配置された左配線２００Ｌの様子、並びに第二アーム５０及び右足軸支部７３の内部に配置された右配線２００Ｒの様子について説明する。
まず、第一アーム４０及び左足軸支部６６の内部に配置された左配線２００Ｌの様子について説明する。
【０１５３】
前述の如く、回動軸支板７４及び基板取付板３３によって、第一アーム４０の上端部近傍、第一アーム４０の下端部近傍、及び左足軸支部６６の上端部近傍における左配線２００Ｌの後方への浮き上がりを防止することができるが、第一アーム４０の長手方向中途部、及び左足軸支部６６の上下中途部においては後方が開放されており、左配線２００Ｌが後方へ浮き上がるおそれがある。
しかし、前述の如く左足収容溝６２ａは第一アーム下側収容溝４０ｃの幅よりも幅広くなるように形成されており、左配線２００Ｌは第一アーム下側収容溝４０ｃ内よりも左足収容溝６２ａ内において移動し易くなるように構成されている。
このため、左配線２００Ｌは、長手方向長さが比較的長い第一アーム４０内ではなく、長手方向長さが比較的短い左足軸支部６６内で移動することになる。左配線２００Ｌは、長手方向長さが長い部分で移動する場合に比べて、長手方向長さが短い部分で移動する場合の方が浮き上がり難いため、当該左配線２００Ｌを左足軸支部６６内で移動するように構成することで、当該左配線２００Ｌの後方への移動（浮き上がり）を抑制し、ひいては当該左配線２００Ｌが外部の部材と干渉する可能性を低減することができる。
【０１５４】
次に、第二アーム５０及び右足軸支部７３の内部に配置された右配線２００Ｒの様子について説明する。
【０１５５】
前述の如く、回動軸支板７４及び基板取付板３３によって、第二アーム５０の上端部近傍、第二アーム５０の下端部近傍、及び右足軸支部７３の上端部近傍における右配線２００Ｒの後方への浮き上がりを防止することができるが、第二アーム５０の長手方向中途部、及び右足軸支部７３の上下中途部においては後方が開放されており、右配線２００Ｒが後方へ浮き上がるおそれがある。
しかし、前述の如く右足収容溝６３ａは第二アーム下側収容溝５０ｃの幅よりも幅広くなるように形成されており、右配線２００Ｒは第二アーム下側収容溝５０ｃ内よりも右足収容溝６３ａ内において移動し易くなるように構成されている。
このため、右配線２００Ｒは、長手方向長さが比較的長い第二アーム５０内ではなく、長手方向長さが比較的短い右足軸支部７３内で移動することになる。右配線２００Ｒは、長手方向長さが長い部分で移動する場合に比べて、長手方向長さが短い部分で移動する場合の方が浮き上がり難いため、当該右配線２００Ｒを右足軸支部７３内で移動するように構成することで、当該右配線２００Ｒの後方への移動（浮き上がり）を抑制し、ひいては当該右配線２００Ｒが外部の部材と干渉する可能性を低減することができる。
【０１５６】
なお、上記の実施形態においては、左配線２００Ｌ及び右配線２００Ｒの浮き上がりに配慮して、左足軸支部６６の左足収容溝６２ａの幅を第一アーム４０の第一アーム下側収容溝４０ｃの幅（基準幅）よりも広くし、また、右足軸支部７３の右足収容溝６３ａの幅を第二アーム５０の第二アーム下側収容溝５０ｃの幅（基準幅）よりも広くしたが、例えば、第一アーム４０、第二アーム５０、左足軸支部６６及び右足軸支部７３の開放部４０ｅ、５０ｅ、６２ｄ、６３ｄの全体が蓋部材によって塞がれる場合等のように左配線２００Ｌ及び右配線２００Ｒの浮き上がりに配慮する必要がないときには、収容溝の幅の広狭の関係を逆転させてもよい。すなわち、収容溝の幅は、必ずしも左足軸支部６６及び右足軸支部７３側を幅広とする構成に限られるものではなく、左足軸支部６６の左足収容溝６２ａを基準幅に形成して、それに比して第一アーム４０の第一アーム下側収容溝４０ｃを幅広に形成し、また、右足軸支部７３の右足収容溝６３ａを基準幅に形成して、それに比して第二アーム５０の第二アーム下側収容溝５０ｃを幅広に形成することもできる。
【０１５７】
以上の如く、本実施形態に係る遊技機１の可動役物装置１００は、
第二回動軸４２ａ（第一支軸又は第二支軸）を介して可動体上部６１（基台）に対して回動可能に軸支される第一アーム４０（第一可動物又は第二可動物）と、
第二回動軸４２ａと所定間隔を隔てて配置される左足回動軸６７ａ（第二支軸又は第一支軸）を介して可動体上部６１に対して回動可能に軸支される可動体左足部６２（第二可動物又は第一可動物）と、
第一アーム４０の内部及び可動体左足部６２の内部を通るように配置される左配線２００Ｌ（配線）と、
を具備する遊技機１の可動役物装置１００であって、
第一アーム４０は、
第二回動軸４２ａの軸線を中心とする円周上に沿うように形成され、第一アーム４０の内部において左配線２００Ｌを案内する第一アーム下側収容溝４０ｃ（第一溝又は第二溝）と、
第一アーム下側収容溝４０ｃと当該第一アーム４０の外部とを連通し、第一アーム下側収容溝４０ｃによって案内される左配線２００Ｌを当該第一アーム４０の外部に導く第一アーム下側スリット４０ｄ（出口部又は入口部）と、
を具備し、
可動体左足部６２は、
第一アーム下側スリット４０ｄを介して第一アーム４０の外部に導かれた左配線２００Ｌを可動体左足部６２の内部に導く左足スリット６２ｂ（入口部又は出口部）と、
左足回動軸６７ａの軸線を中心とする円周上に沿うように、かつ第一アーム下側収容溝４０ｃの幅よりも幅広くなるように形成され、左足スリット６２ｂを介して可動体左足部６２の内部に導かれた左配線２００Ｌを当該可動体左足部６２の内部において案内する左足収容溝６２ａ（第二溝又は第一溝）と、
を具備するものである。
【０１５８】
このように構成することにより、左配線２００Ｌが左足収容溝６２ａ内を移動し易くすることができる。
第一アーム４０及び可動体左足部６２が回動する際、左配線２００Ｌに負荷（引張荷重または圧縮荷重）が加わるが、当該左配線２００Ｌが左足収容溝６２ａ内を移動し易いため、当該左配線２００Ｌを逃がすことができ、当該左配線２００Ｌに加わる負荷を軽減することができる。
これによって、左配線２００Ｌの損傷を防止することができる。
【０１５９】
また、第一アーム下側収容溝４０ｃ及び左足収容溝６２ａには、
それぞれ第一アーム４０及び可動体左足部６２の外部に向かって開放される第一アーム開放部４０ｅ及び左足開放部６２ｄ（開放部）が形成され、
前記遊技機１の可動役物装置１００は、
第一アーム下側収容溝４０ｃ及び左足収容溝６２ａの内部に配置される左配線２００Ｌ、並びに第一アーム下側スリット４０ｄから左足スリット６２ｂにわたって配置される左配線２００Ｌが、第一アーム下側収容溝４０ｃ及び左足収容溝６２ａの開放部側に移動するのを制限する回動軸支板７４（蓋部材）をさらに具備し、
左配線２００Ｌは、
第一アーム４０の内部における長さよりも可動体左足部６２の内部における長さの方が短くなるように配置されるものである。
【０１６０】
このように構成することにより、第一アーム下側収容溝４０ｃ、左足収容溝６２ａ及び第一アーム下側スリット４０ｄと左足スリット６２ｂとの間における左配線２００Ｌの開放部側への移動（浮き上がり）を、回動軸支板７４により防止することができる。
さらに、左配線２００Ｌが移動し易い、すなわち左配線２００Ｌが開放部側へ移動し易い（浮き上がり易い）可動体左足部６２の内部における左配線２００Ｌの長さを短くすることで、当該左配線２００Ｌの浮き上がりを抑制することができる。
これによって、左配線２００Ｌが外部の部材と干渉することを防止し、当該左配線２００Ｌの損傷を防止することができる。
【０１６１】
なお、本発明に係る第一可動物は、本実施形態に係る第一アーム４０及び第二アーム５０の形状に限るものではない。
また、本発明に係る第二可動物は、本実施形態に係る可動体左足部６２及び可動体右足部６３の形状に限るものではない。
また、本発明に係る第一支軸及び第二支軸は所定間隔を隔てて配置されていれば良く、当該所定間隔は限定するものではない。しかし、配線の浮き上がりを防止する観点及び配線の外部の部材との干渉を防止する観点から、当該所定間隔はできるだけ狭く設定することが望ましい。
また、本発明に係る開放部は、本実施形態においては後方に向かって開放されるものとしたが、これに限定するものではなく、前方に開放されるものであっても良い。
【０１６２】
また、本実施形態においては、図１８（ａ）に示すように第二アーム５０の第二アーム下側スリット５０ｄを形成したが、図１８（ｂ）に示すように当該第二アーム下側スリット５０ｄの幅を、図１８（ａ）に示した場合よりも大きくすることも可能である（図１８の二点鎖線部分を参照）。
このように構成することにより、可動体６０が作動位置と待機位置とを往復する際に、右配線２００Ｒが当該第二アーム下側スリット５０ｄ部分で急激に屈曲するのを防止することができる。これによって、配線に強い応力が作用するのを防止することができ、ひいては当該配線の損傷を防止することができる。
なお、第一アーム４０の第一アーム下側スリット４０ｄ、可動体左足部６２の左足スリット６２ｂ、及び可動体右足部６３の右足スリット６３ｂの幅を、上記第二アーム下側スリット５０ｄと同様に大きくすることも可能である。
【符号の説明】
【０１６３】
１：遊技機，４０：第一アーム，４０ｃ：第一アーム下側収容溝，４０ｄ：第一アーム下側スリット，４０ｅ：第一アーム開放部，４２ａ：第二回動軸，５０：第二アーム，５０ｃ：第二アーム下側収容溝，５０ｄ：第二アーム下側スリット，５０ｅ：第二アーム開放部，５２ａ：第四回動軸，６１：可動体上部，６２：可動体左足部，６２ａ：左足収容溝，６２ｂ：左足スリット，６２ｄ：左足開放部，６３：可動体右足部，６３ａ：右足収容溝，６３ｂ：右足スリット，６３ｄ：右足開放部，６７ａ：左足回動軸，７０ａ：右足回動軸，７４：回動軸支板，１００：可動役物装置，２００Ｌ：左配線
【図１】
0005477324.tif 000002
【図２】
0005477324.tif 000003
【図３】
0005477324.tif 000004
【図４】
0005477324.tif 000005
【図５】
0005477324.tif 000006
【図６】
0005477324.tif 000007
【図７】
0005477324.tif 000008
【図８】
0005477324.tif 000009
【図９】
0005477324.tif 000010
【図１０】
0005477324.tif 000011
【図１１】
0005477324.tif 000012
【図１２】
0005477324.tif 000013
【図１３】
0005477324.tif 000014
【図１４】
0005477324.tif 000015
【図１５】
0005477324.tif 000016
【図１６】
0005477324.tif 000017
【図１７】
0005477324.tif 000018
【図１８】
0005477324.tif 000019